(57)【要約】【課題】ストッパをスライドし忘れてヒンジのメンテナンス作業を行った後においてもストッパによって回動部材の回動を規制しない状態になっていることを防止することができるヒンジを提供することを課題とする。【解決手段】ストッパ７のストッパ側突出部７１が第二ウイング部材のウイング部材側突出部（回動部材側突出部３２）と当接して第二ウイング部材の回動する動作を規制する規制状態と、ストッパ側突出部３２がウイング部材側突出部と当接せずに第二ウイング部材の回動する動作を規制しない規制解除状態と、が切換可能に構成され、規制解除状態において第一ウイング部材と第二ウイング部材とのなす角度が小さくなる方向に第二ウイング部材を回動した際に第一ウイング部材と第二ウイング部材とのなす角度が所定の角度以下になると、ストッパ７が付勢部材によりスライドされることにより規制状態となるものとする。【選択図】図２
2014199099.tif 000002
【特許請求の範囲】
【請求項１】
第一連結対象物に第二連結対象物を回動可能に連結する、ヒンジであって、
前記第一連結対象物に固定される第一ウイング部材と、
前記第一ウイング部材に回動可能に支持されるとともに、前記第二連結対象物に固定される第二ウイング部材と、
前記第一ウイング部材と前記第二ウイング部材とのなす角度が所定の角度よりも大きくならないように、前記第二ウイング部材の回動する動作を規制するストッパと、を具備し、
前記第二ウイング部材は、前記ストッパ側に突出するウイング部材側突出部を備え、
前記ストッパは、前記第二ウイング部材側に突出するストッパ側突出部を備え、
前記ストッパが前記第二ウイング部材の回動軸の軸心方向にスライドすることにより、前記ストッパ側突出部が前記ウイング部材側突出部と当接して前記第二ウイング部材の回動する動作を規制する規制状態と、前記ストッパ側突出部が前記ウイング部材側突出部と当接せずに前記第二ウイング部材の回動する動作を規制しない規制解除状態と、が切換可能に構成され、
前記ストッパは、付勢部材で前記軸心方向の一方に付勢され、
前記規制解除状態において、前記第一ウイング部材と前記第二ウイング部材とのなす角度が小さくなる方向に前記第二ウイング部材を回動した際に、前記第一ウイング部材と前記第二ウイング部材とのなす角度が前記所定の角度以下になると、前記ストッパが前記付勢部材によりスライドされることにより、前記規制状態となる、ヒンジ。
【請求項２】
前記ストッパ側突出部を段階的に形成することにより、
前記ストッパによる前記第二ウイング部材の回動する動作の規制位置が段階的に変更する、請求項１に記載のヒンジ。
【請求項３】
前記ウイング部材側突出部を段階的に形成することにより、
前記ストッパによる前記第二ウイング部材の回動する動作の規制位置が段階的に変更する、請求項１に記載のヒンジ。
【発明の詳細な説明】
【技術分野】
【０００１】
本発明は、ヒンジの技術に関する。
【背景技術】
【０００２】
第一連結対象物に第二連結対象物を回動可能に連結するヒンジに関する技術は、種々知られている。
前記ヒンジには、本体および原稿圧着板を備えて構成される事務機（スキャナー、ファクス、コピー機、または、複合機等）に備えられて、事務機の本体（第一連結対象物）に原稿圧着板（第二連結対象物）を回動可能に連結するものがある。
前記ヒンジは、ケース部材（第一ウイング部材）と、回動部材（第二ウイング部材）と、を具備し、ケース部材が事務機の本体に固定され、回動部材が事務機の原稿圧着板に固定される（特許文献１参照）。
【０００３】
また、前記ヒンジには、ケース部材と回動部材とのなす角度（回動角度）が所定の角度よりも大きくならないように回動部材の回動する動作を規制するストッパを具備し、回動部材はストッパ側に突出する突出部を備え、ストッパは回動部材側に突出する突出部を備えて構成されるものがある（特許文献２参照）。
前記ヒンジでは、ストッパをスライド（移動）させることによって、動部材の突出部がストッパの突出部と当接して回動部材の回動する動作を規制する状態（規制状態）と、動部材の突出部がストッパの突出部と当接せずに回動部材の回動する動作を規制しない状態（規制解除状態）と、が切換可能に構成される。
前記ヒンジでは、例えば、事務機の使用時においては、回動部材の回動する動作を規制する状態とし、また例えば、ヒンジのメンテナンス時においては、回動部材の回動する動作を規制しない状態とする。
【先行技術文献】
【特許文献】
【０００４】
【特許文献１】特開２０１１−１９１７２８号公報
【特許文献２】特開２０１２−２３７３２３号公報
【発明の概要】
【発明が解決しようとする課題】
【０００５】
しかしながら、前記ヒンジでは、回動部材の回動を規制しない状態にしてヒンジのメンテナンス作業を行った後に、ストッパをスライドし忘れて、ストッパによって回動部材の回動を規制する状態（事務機の使用時の状態）となっていない場合がある。
このように、前記ヒンジでは、ストッパをスライドし忘れて、ヒンジのメンテナンス作業を行った後においても、ストッパによって回動部材の回動を規制しない状態になっているという問題があった。
【０００６】
本発明は以上の如き状況に鑑みてなされたものであり、ストッパをスライドし忘れて、ヒンジのメンテナンス作業を行った後においても、ストッパによって回動部材（第二ウイング部材）の回動を規制しない状態になっていること、を防止することができる、ヒンジを提供することを課題とする。
【課題を解決するための手段】
【０００７】
本発明の解決しようとする課題は以上の如くであり、次にこの課題を解決するための手段を説明する。
【０００８】
即ち、請求項１においては、第一連結対象物に第二連結対象物を回動可能に連結する、ヒンジであって、前記第一連結対象物に固定される第一ウイング部材と、前記第一ウイング部材に回動可能に支持されるとともに、前記第二連結対象物に固定される第二ウイング部材と、前記第一ウイング部材と前記第二ウイング部材とのなす角度が所定の角度よりも大きくならないように、前記第二ウイング部材の回動する動作を規制するストッパと、を具備し、前記第二ウイング部材は、前記ストッパ側に突出するウイング部材側突出部を備え、前記ストッパは、前記第二ウイング部材側に突出するストッパ側突出部を備え、前記ストッパが前記第二ウイング部材の回動軸の軸心方向にスライドすることにより、前記ストッパ側突出部が前記ウイング部材側突出部と当接して前記第二ウイング部材の回動する動作を規制する規制状態と、前記ストッパ側突出部が前記ウイング部材側突出部と当接せずに前記第二ウイング部材の回動する動作を規制しない規制解除状態と、が切換可能に構成され、前記ストッパは、付勢部材で前記軸心方向の一方に付勢され、前記規制解除状態において、前記第一ウイング部材と前記第二ウイング部材とのなす角度が小さくなる方向に前記第二ウイング部材を回動した際に、前記第一ウイング部材と前記第二ウイング部材とのなす角度が前記所定の角度以下になると、前記ストッパが前記付勢部材によりスライドされることにより、前記規制状態となるものである。
【０００９】
請求項２においては、前記ストッパ側突出部を段階的に形成することにより、前記ストッパによる前記第二ウイング部材の回動する動作の規制位置が段階的に変更するものである。
【００１０】
請求項３においては、前記ウイング部材側突出部を段階的に形成することにより、前記ストッパによる前記第二ウイング部材の回動する動作の規制位置が段階的に変更するものである。
【発明の効果】
【００１１】
本発明の効果として、以下に示すような効果を奏する。
即ち、本発明によれば、ストッパをスライドし忘れて、ヒンジのメンテナンス作業を行った後においても、ストッパによって回動部材（第二ウイング部材）の回動を規制しない状態になっていること、を防止することができる。
【図面の簡単な説明】
【００１２】
【図１】本発明の第一実施形態に係るヒンジと事務機とを示した側面図。
【図２】同じくヒンジを示す側面図。
【図３】同じくヒンジを示す底面図。
【図４】同じくヒンジを示す側面断面図。
【図５】同じくヒンジを示す底面断面図。
【図６】同じくヒンジを示す一部拡大斜視図。
【図７】同じくヒンジを示す一部拡大斜視図。
【図８】本発明の第二実施形態に係るヒンジを示す側面断面図。
【図９】同じくヒンジを示す底面断面図。
【図１０】同じくヒンジを示す側面断面図。
【図１１】同じくヒンジを示す底面断面図。
【図１２】本発明の第三実施形態に係るヒンジを示す側面断面図。
【図１３】同じくヒンジを示す底面断面図。
【図１４】同じくヒンジを示す側面断面図。
【図１５】同じくヒンジを示す底面断面図。
【図１６】本発明の第四実施形態に係るヒンジを示す底面断面図。
【図１７】同じくヒンジを示す底面断面図。
【図１８】同じくヒンジを示す底面断面図。
【図１９】同じくヒンジを示す一部拡大斜視断面図。
【図２０】同じくヒンジを示す一部拡大斜視断面図。
【発明を実施するための形態】
【００１３】
次に、本発明の第一実施形態に係るヒンジ１について、図１から図７を用いて説明する。
【００１４】
図１に示すように、ヒンジ１は、本体１１および原稿圧着板１２を備える事務機１０に備えられる。
事務機１０とは、スキャナー、ファクス、コピー機、または、複合機（スキャナー機能、ファクス機能、および／または、コピー機能を有するもの）等の装置を示す。
事務機１０の本体１１は、本発明に係る第一連結対象物の実施の一形態である。事務機１０の本体１１は、制御装置、印刷装置、表示装置および入力装置を具備する。
事務機１０の原稿圧着板１２は、本発明に係る第二連結対象物の実施の一形態である。事務機１０の原稿圧着板１２は、読取前原稿収容トレイ、ＡＤＦ（Ａｕｔｏ Ｄｏｃｕｍｅｎｔ Ｆｅｅｄｅｒ）および読取後原稿収容トレイを具備する。
【００１５】
図２乃至図６に示すように、ヒンジ１は、ケース部材２と、回動部材３と、回動ピン４、スライダ５と、スライダ付勢部材６と、ストッパ７と、支持ピン８と、ストッパ付勢部材９と、を具備する。
ヒンジ１は、ケース部材２が事務機１０の本体１１に固定され、回動部材３が事務機１０の原稿圧着板１２に固定されて、事務機１０の本体１１に原稿圧着板１２を回動可能に連結する。
【００１６】
事務機１０の原稿圧着板１２が（本体１１に対して）閉じている状態は、原稿圧着板１２の下面が本体１１の上面に当接した状態を指す。
また、事務機１０の原稿圧着板１２が（本体１１に対して）開いている状態は、原稿圧着板１２が本体１１に対して回動することにより、原稿圧着板１２の下面および本体１１の上面（原稿圧着板１２の下面前端部および本体１１の上面前端部）が離間した状態を指す。
【００１７】
ヒンジ１のケース部材２は、本発明に係る第一ウイング部材の実施の一形態である。
ケース部材２は、箱状の部材であり、有底略四角筒状に形成される。
ケース部材２は、収容室２０と、一対の支持部２１・２１と、一対の貫通孔２２・２２と、一対の支持孔２３・２３と、凸部２４と、を備える。
【００１８】
ヒンジ１のケース部材２の収容室２０は、前記有底略四角筒状の内側の空間（ケース部材２の上板、下板、両側板、及び、底板の内側の空間）で構成される。
ケース部材２の収容室２０は、スライダ５およびスライダ付勢部材６が収容されるように構成される。
【００１９】
ヒンジ１のケース部材２の支持部２１は、回動部材３、ストッパ７、および、支持ピン８を支持する。
ケース部材２の支持部２１は、ケース部材２の両側板の一部で構成される。ケース部材２の支持部２１は、ケース部材２の両側板におけるケース部材２の開口端部で構成される。
【００２０】
ヒンジ１のケース部材２の貫通孔２２は、ケース部材２の支持部２１に配置される。
ケース部材２の貫通孔２２は、ケース部材２の両側板をそれぞれ貫通するように形成される。ケース部材２の貫通孔２２は、回動ピン４が挿入可能に構成される。
【００２１】
ヒンジ１のケース部材２の支持孔２３は、ケース部材２の支持部２１に配置される。
ケース部材２の支持孔２３は、ケース部材２の両側板をそれぞれ貫通するように形成される。ケース部材２の支持孔２３は、支持ピン８が挿入可能に構成される。
【００２２】
ヒンジ１のケース部材２の凸部２４は、ケース部材２の下板から上板側（貫通孔２２側）に突出するように構成される。
ケース部材２の凸部２４は、一対の支持部２１の間に位置するように配置される。ケース部材２の凸部２４は、貫通孔２２よりも収容室２０側（底板側）に配置される。
【００２３】
ヒンジ１の回動部材３は、本発明に係る第一ウイング部材の実施の一形態である。
回動部材３は、ケース（ケースの支持部２１）に回動可能に支持される。
回動部材３は、貫通孔３０と、当接部３１と、複数個（二個）の回動部材側突出部３２・３２と、を備える。
【００２４】
ヒンジ１の回動部材３の貫通孔３０は、回動部材３の一端部に配置される。
回動部材３の貫通孔３０は、回動部材３の一端部を貫通するように形成される。回動部材３の貫通孔３０は、回動ピン４が挿入可能に構成される。
【００２５】
ヒンジ１の回動部材３の当接部３１は、スライダ５が当接する部分として構成される。
回動部材３の当接部３１は、回動部材３の一端部に配置される。回動部材３の当接部３１は、貫通孔３０の近傍に配置される。
回動部材３の当接部３１は、曲面で構成される。
【００２６】
ヒンジ１の回動部材３の回動部材側突出部３２は、本発明に係るウイング部材側突出部の実施の一形態である。
回動部材３の回動部材側突出部３２は、ストッパ７が当接する部分として構成される。
回動部材３の二個の回動部材側突出部３２は、所定の間隔を空けてそれぞれ配置される。回動部材３の回動部材側突出部３２は、貫通孔３０の近傍に配置される。
回動部材３の回動部材側突出部３２は、ストッパ７側に突出するように構成される。回動部材３の外面から貫通孔３０と反対側に突出するように構成される。回動部材３の回動部材側突出部３２は、回動部材３の外面からケース部材２の下板側に突出するように構成される。回動部材３の回動部材側突出部３２は、回動部材３の回動方向に沿って筋状に突出するように構成される。
【００２７】
ヒンジ１の回動部材３は、回動部材３の貫通孔３０およびケース部材２の貫通孔２２に回動ピン４が挿入されて、ケース部材２（ケース部材２の支持部２１）に回動可能に支持される。
回動部材３は、回動ピン４を回動軸としてケース部材２に対して回動可能に構成される。
回動部材３は、回動部材３の当接部３１がケース部材２の収容室２０側を向くとともに回動部材３の回動部材側突出部３２がケース部材２の下板側を向くようにくように配置される。
【００２８】
スライダ５は、箱状の部材であり、有底略四角筒状に形成される。
スライダ５は、スライダ５の底板を回動部材３側に向けて、ケース部材２の収容室２０に収容される。
スライダ５は、ケース部材２の収容室２０内において回動部材３に接近する方向または回動部材３から離間する方向にスライド可能（移動可能）に構成される。
スライダ５は、当接部５０を備える。
【００２９】
ヒンジ１のスライダ５の当接部５０は、回動部材３の当接部３１に当接するように構成される。
スライダ５の当接部５０は、スライダ５の底板の外側の面に配置される。
スライダ５の当接部５０は、曲面で構成される。
【００３０】
ヒンジ１のスライダ付勢部材６は、巻きバネであり、スライダ５を回動部材３に接近する方向に付勢するように構成される。
スライダ付勢部材６（スライダ付勢部材６の少なくとも一部）は、ケース部材２の収容室２０内に配置される。スライダ付勢部材６は、スライダ５内に配置される。スライダ付勢部材６は、スライダ付勢部材６の一端部が付勢力調整部材（不図示）を介してケース部材２の底板の内側の面に当接し、スライダ付勢部材６の他端部がスライダ５の底板の内側の面に当接するように配置される。
付勢力調整部材は、スライダ付勢部材６の付勢力（圧縮される方向に弾性変形したスライダ付勢部材６が元の形状に戻ろうとする力）の大きさを調整するものである。
スライダ付勢部材６は、スライダ５を回動部材３に接近する方向に付勢して、スライダ５の当接部５０を回動部材３の当接部３１に当接させることによって、ケース部材２に対して開く方向に回動するように回動部材３を付勢する。
【００３１】
ヒンジ１は、事務機１０の本体１１（第一連結対象物）に対して原稿圧着板１２（第二連結対象物）が閉じる方向（回動角度が小さくなる方向）に回動すると、回動部材３が閉じる方向（回動角度が小さくなる方向）に回動するように構成される。
ヒンジ１は、事務機１０の本体１１に対して原稿圧着板１２が閉じる方向に回動すると、回動部材３の当接部３１がスライダ５の当接部５０に当接した状態で回動部材３が回動してスライダ５を押し込み、スライダ５がスライダ付勢部材６の付勢力に抗して回動部材３から離間する方向にスライド（移動）するように構成される。
ヒンジ１は、事務機１０の本体１１に対して原稿圧着板１２が閉じる方向に回動すると、スライダ５がスライダ付勢部材６の付勢力に抗してスライドして、スライダ付勢部材６による緩衝効果が発生するように構成される。
【００３２】
ヒンジ１のストッパ７は、回動部材３の回動角度（ケース部材２と回動部材３とのなす角度）が所定の角度よりも大きくならないように回動部材３の回動する動作を規制する。ストッパ７は、回動部材３の回動角度が、例えば、１７度よりも大きくならないように回動部材３の回動する動作を規制する。
ストッパ７は、支持ピン８に支持されて、回動部材３の回動する動作を規制する位置と回動部材３の回動する動作を規制しない位置との間をスライド可能（移動可能）に構成される。ストッパ７は、回動部材３の回動軸の軸心方向にスライド可能に構成される。ストッパ７は、回動ピン４の軸心と平行してスライド可能に構成される。
ストッパ７は、有底略四角筒状に形成される部分と、前記有底略四角筒状に形成される部分の底部から突出する略円筒状に形成される部分と、を有して構成される。ストッパ７は、ストッパ７の前記有底略四角筒状部分がケース部材２の一対の支持部２１のうち一方の支持部２１側を向くとともに、ストッパ７の前記略円筒状部分がケース部材２の一対の支持部２１のうち他方の支持部２１側に向くように配置される。ストッパ７は、前記有底略四角筒状部分がケース部材２の一対の支持部２１の間に位置するように配置される。ストッパ７は、ケース部材２の凸部２４の近傍に配置される。ストッパ７は、回動ピン４よりもケース部材２の底板側に配置される。
ストッパ７は、複数個（二個）のストッパ側突出部７１・７１と、凹部７２と、配置室７３と、操作部７４と、貫通孔７５と、を備えて構成される。
【００３３】
ストッパ７の二個のストッパ側突出部７１は、所定の間隔を空けてそれぞれ配置される。ストッパ７の二個のストッパ側突出部７１は、二個のストッパ側突出部７１の間に回動部材３の回動部材側突出部３２（一個の回動部材側突出部３２）を配置可能に配置される。
ストッパ７のストッパ側突出部７１は、ストッパ７の外面（前記有底略四角筒状部分の外面）から回動部材３の（回動部材３の回動部材側突出部３２側）に突出するように構成される。ストッパ７のストッパ側突出部７１は、ストッパ７の外面からケース部材２の底部と反対側に突出するように構成される。
【００３４】
ヒンジ１のストッパ７の凹部７２は、ケース部材２の底部側に開口するように配置される。
ストッパ７の凹部７２は、ケース部材２の凸部２４が嵌挿可能に構成される。ストッパ７の凹部７２は、ストッパ７の外面（前記有底略四角筒状部分の外面）が凹状に切欠かれるように形成されて構成される。
【００３５】
ヒンジ１のストッパ７の配置室７３は、ストッパ７の内部の空間（有底略四角筒状部分の内部の空間）で構成される。
ストッパ７の配置室７３は、ストッパ付勢部材９（ストッパ付勢部材９の少なくとも一部）が配置されるように構成される。
【００３６】
ヒンジ１のストッパ７の操作部７４は、回動部材３の回動する動作を規制する位置から回動部材３の回動する動作を規制しない位置へのストッパ７のスライド（移動）を操作するものとして構成される。
ストッパ７の操作部７４は、ストッパ７の前記略円筒状部分で構成される。ストッパ７の操作部７４は、円筒の側部の一部がその軸心に沿って切りかかれるように形成されて、略円筒状に形成される。ストッパ７の操作部７４は、操作部７４の軸心方向から見てＣ字状に形成される。
ストッパ７の操作部７４は、操作部７４内（操作部７４の内部の空間）に支持ピン８が挿入可能に構成される。
ストッパ７の操作部７４は、ケース部材２の支持部の貫通孔２２に挿入可能に構成される。ストッパ７の操作部７４は、ケース部材２の貫通孔２２（一対の支持部２１のうち他方の支持部２１の貫通孔２２）に挿入される。
ストッパ７は、操作部７４（少なくとも操作部７４の先端部）がケース部材２（ケース部材２の支持部２１）の外側に突出する（位置する）ように構成される。
【００３７】
ヒンジ１のストッパ７の貫通孔７５は、ストッパ７の底部を貫通してストッパ７の配置室７３と操作部７４内とを連通するように形成される。
ストッパ７の貫通孔７５は、支持ピン８が挿入可能に構成される。
【００３８】
ヒンジ１の支持ピン８は、回動部材３の回動する動作を規制する位置と回動部材３の回動する動作を規制しない位置との間をストッパ７がスライド可能なように、ストッパ７を支持する。
支持ピン８は、支持ピン８の一端部の外径がケース部材２の貫通孔２２の内径よりも大きく形成されて構成される。
支持ピン８は、支持ピン８の他端部側からケース部材２における一対の支持部２１のうち一方の支持部２１の貫通孔２２に挿入されるとともに一対の支持部２１のうち他方の支持部２１の貫通孔２２に挿入されて、ケース部材２（ケース部材２の支持部２１）に支持される。支持ピン８は、支持ピン８の一端部と他端部とがそれぞれケース部材２（ケース部材２の支持部２１）の外側に突出する（位置する）ように構成される。支持ピン８は、ケース部材２（一対の支持部２１のうち一方の支持部２１）に固定される。
支持ピン８は、ストッパ７の配置室７３と操作部７４内と貫通孔７５とに挿入されて、ストッパ７を支持する。
ストッパ７は、このように支持ピン８に支持されることによって、支持ピン８を介してケース部材２（ケース部材２の支持部２１）に支持される。ストッパ７は、ストッパ７の凹部７２にケース部材２の凸部２４が嵌挿されて、ケース部材２に支持される。
【００３９】
ヒンジ１のストッパ付勢部材９は、巻きバネであり、回動部材３の回動する動作を規制しない位置側から回動部材３の回動する動作を規制する位置側へ、ストッパ７を付勢するように構成される。ストッパ付勢部材９は、ケース部材２における一対の支持部２１のうち一方の支持部２１側から他方の支持部２１側へ、ストッパ７を付勢するように構成される。ストッパ付勢部材９は、ストッパ７を回動部材３の回動軸の軸心方向に付勢するように構成される。
ストッパ付勢部材９（ストッパ付勢部材９の少なくとも一部）は、ストッパ７の配置室７３に配置される。ストッパ付勢部材９は、ストッパ付勢部材９の一端部がケース部材２の支持部２１の内側の面に当接し、ストッパ付勢部材９の他端部がストッパ７の底部の内側の面に当接するように配置される。
【００４０】
ヒンジ１は、ストッパ７が回動部材３の回動軸の軸心方向にスライド（移動）することにより、ストッパ７のストッパ側突出部７１が回動部材３の回動部材側突出部３２と当接して回動部材３の回動する動作を規制する状態（規制状態）と、ストッパ７のストッパ側突出部７１が回動部材３の回動部材側突出部３２と当接せずに回動部材３の回動する動作を規制しない状態（規制解除状態）と、が切換可能に構成される。
ヒンジ１は、例えば、事務機１０の使用時においては、回動部材３の回動する動作を規制する状態とし、また例えば、ヒンジ１のメンテナンス時においては、回動部材３の回動する動作を規制する状態とするように構成される。
【００４１】
ヒンジ１は、ストッパ７のストッパ側突出部７１が回動部材３の回動部材側突出部３２の回動軌跡上に位置するようにストッパ７がスライドすることによって、回動部材３の回動する動作を規制する状態となるように構成される。
ヒンジ１は、回動部材３の回動する動作を規制する状態では、回動部材３が所定の角度まで回動すると回動部材３の回動部材側突出部３２とストッパ７のストッパ側突出部７１とが当接して、回動部材３の回動角度が所定の角度よりも大きくならない範囲で回動部材３が回動するように構成される。
ヒンジ１は、回動部材３の回動する動作を規制する状態では、支持ピン８の一端部がケース部材２の一対の支持部２１のうち一方の支持部２１の外面に引掛り（当接し）、ストッパ付勢部材９によってケース部材２の他方の支持部２１側にストッパ７が付勢されても、ストッパ７のストッパ側突出部７１が回動部材３の回動部材側突出部３２の回動軌跡上に位置した状態が保持されるように構成される。
【００４２】
ヒンジ１は、ストッパ７のストッパ側突出部７１が回動部材３の回動部材側突出部３２の回動軌跡上に位置しないようにストッパ７がスライドすることによって、回動部材３の回動する動作を規制しない状態となるように構成される。ヒンジ１は、ストッパ７の二個のストッパ側突出部７１の間の空間が回動部材３の回動部材側突出部３２（一個の回動部材側突出部３２）の回動軌跡上に位置するようにストッパ７がスライドすることによって、回動部材３の回動する動作を規制しない状態となるように構成される。
ヒンジ１は、回動部材３の回動する動作を規制しない状態では、回動部材３が所定の角度に回動しても（所定の角度よりも大きく回動しても）、回動部材３の回動部材側突出部３２とストッパ７のストッパ側突出部７１とが当接しないことから、回動部材３の回動角度が所定の角度よりも大きい範囲で回動部材３が回動するように構成される。
【００４３】
ヒンジ１では、回動部材３の回動する動作を規制する状態から回動部材３の回動する動作を規制しない状態に切替えるときには、ストッパ７の操作部７４を操作することによって、回動部材３の回動する動作を規制しない位置にストッパ７をスライドさせる。ヒンジ１では、ストッパ７の操作部７４（操作部７４のケース部材２から外側に突出する部分）をケース部材２側（ケース部材２における一対の支持部２１のうち一方の支持部２１側）に押込んで、ストッパ付勢部材９の付勢力に抗して一方の支持部２１側にストッパ７をスライドさせて、回動部材３の回動する動作を規制する状態から回動部材３の回動する動作を規制しない状態に切替える。
そして、ヒンジ１では、回動部材３の回動する動作を規制しない状態で、回動角度が所定の角度よりも大きくなる方向に回動部材３を回動させて、ストッパ７の二個のストッパ側突出部７１の間に回動部材３の回動部材側突出部３２（一個の回動部材側突出部３２）を位置させる（図７参照）。
このように、ストッパ７の二個のストッパ側突出部７１の間に回動部材３の回動部材側突出部３２を位置させた状態では、ストッパ付勢部材９によってケース部材２の他方の支持部２１側にストッパ７が付勢されても、ストッパ７のストッパ側突出部７１におけるケース部材２の他方の支持部２１側の面と、回動部材３の回動部材側突出部３２におけるケース部材２の一方の支持部２１側の面と、が当接して、ストッパ７が回動部材３の回動する動作を規制する位置から回動部材３の回動する動作を規制する位置にスライドすることが防止される。
【００４４】
ヒンジ１では、回動部材３の回動する動作を規制しない状態から回動部材３の回動する動作を規制する状態に切替えるときには、回動部材３の回動する動作を規制しない状態において、所定の角度よりも回動角度が大きい状態から回動角度が所定の角度よりも小さくなる方向に回動部材３を回動させる。
このように所定の角度よりも回動角度が小さくなる方向に回動部材３を回動させると、前記ストッパ７のストッパ側突出部７１と回動部材３の回動部材側突出部３２とが当接している状態が解消され、ストッパ付勢部材９によってケース部材２の他方の支持部２１側に付勢されるストッパ７が、回動部材３の回動する動作を規制する位置から回動部材３の回動する動作を規制する位置にスライドして、回動部材３の回動する動作を規制する状態となる。
このようにして、ヒンジ１では、回動部材３の回動する動作を規制しない状態から回動部材３の回動する動作を規制する状態に切替える。
【００４５】
以上のように、事務機１０の本体１１に原稿圧着板１２を回動可能に連結するヒンジ１であって、事務機１０の本体１１に固定されるケース部材２と、ケース部材２に回動可能に支持されるとともに事務機１０の原稿圧着板１２に固定される回動部材３と、回動部材３の回動角度（ケース部材２と回動部材３とのなす角度）が所定の角度よりも大きくならないように回動部材３の回動する動作を規制するストッパ７と、を具備し、回動部材３は、ストッパ７側に突出する回動部材側突出部３２を備え、ストッパ７は、回動部材３側に突出するストッパ側突出部７１を備え、ストッパ７が回動部材３の回動軸の軸心方向にスライドすることにより、ストッパ７のストッパ側突出部７１が回動部材３の回動部材側突出部３２と当接して回動部材３の回動する動作を規制する状態（規制状態）と、ストッパ７のストッパ側突出部７１が回動部材３の回動部材側突出部３２と当接せずに回動部材３の回動する動作を規制しない状態（規制解除状態）と、が切換可能に構成され、ストッパ７は、ストッパ付勢部材（付勢部材）９で回動部材３の回動軸の軸心方向の一方に付勢され、回動部材３の回動する動作を規制しない状態において、回動角度が小さくなる方向に回動部材３を回動した際に、回動角度が所定の角度以下になると、ストッパ７がストッパ付勢部材９によりスライドされることにより、回動部材３の回動する動作を規制する状態となる、ヒンジ１では、回動部材３の回動する動作を規制しない状態において、回動角度が小さくなる方向に回動部材３を回動した際に、回動角度が所定の角度以下になると、ストッパ７がストッパ付勢部材９によりスライドされることにより、回動部材３の回動する動作を規制する状態とすることができる。
したがって、ヒンジ１によれば、例えば、ストッパ７をスライドし忘れて、ヒンジ１のメンテナンス作業を行った後においても、回動部材３の回動を規制しない状態になっていること、を防止することができる。
【００４６】
次に、本発明の第二実施形態に係るヒンジ１について、図８から図１１を用いて説明する。
なお、第二実施形態に係るヒンジ１の説明は、第一実施形態に係るヒンジ１と同様の構成の部分については適宜省略し、第一実施形態に係るヒンジ１の構成と異なる部分を中心に説明する。
【００４７】
図８乃至図１１に示すように、ヒンジ１は、ストッパ７による回動部材３の回動する動作の規制位置が段階的に変更するように構成される。ヒンジ１は、回動部材３の複数の所定の回動角度において回動部材３の回動する動作をストッパ７によって規制するように構成される。
ヒンジ１は、ストッパ７が回動部材３の回動軸の軸心方向にスライド（移動）することにより、回動部材３の回動角度が、例えば、１７度よりも大きくならないように回動部材３の回動する動作を規制する状態と、回動部材３の回動角度が、例えば、３３度よりも大きくならないように回動部材３の回動する動作を規制する状態と、に変更することができるように構成される。
【００４８】
ヒンジ１のストッパ７のストッパ側突出部７１は、回動部材３の回動部材側突出部３２側に突出する高さが異なる部分を有するように構成されて段階的に形成される。ストッパ７のストッパ側突出部７１は、突出する高さが高い部分と低い部分とを有するように構成される。以下において、ストッパ７のストッパ側突出部７１における突出する高さが高い部分を高ストッパ側突出部７１Ｈと、ストッパ側突出部７１における突出する高さ低い部分を低ストッパ側突出部７１Ｌと称する。
ストッパ７のストッパ側突出部７１は、ストッパ７のスライド方向に沿って高ストッパ側突出部７１Ｈと低ストッパ側突出部７１Ｌとが並ぶように構成される。ストッパ７のストッパ側突出部７１は、ケース部材２の一方の支持部２１側に高ストッパ側突出部７１Ｈが配置され、ケース部材２の他方の支持部２１側に低ストッパ側突出部７１Ｌが配置されて構成される。
【００４９】
ヒンジ１は、ストッパ７が回動部材３の回動軸の軸心方向にスライド（移動）することにより、ストッパ７の高ストッパ側突出部７１Ｈが回動部材３の回動部材側突出部３２と当接して回動部材３の回動する動作を規制する状態と、ストッパ７の低ストッパ側突出部７１Ｌが回動部材３の回動部材側突出部３２と当接して回動部材３の回動する動作を規制する状態とを、切替可能に構成される。
ヒンジ１では、ストッパ７の高ストッパ側突出部７１Ｈによって回動部材３の回動する動作を規制する状態からストッパ７の低ストッパ側突出部７１Ｌによって回動部材３の回動する動作を規制する状態に切替えるときには、ストッパ７の操作部７４を操作することによって、ストッパ７の高ストッパ側突出部７１Ｈによって回動部材３の回動する動作を規制する位置からストッパ７の低ストッパ側突出部７１Ｌによって回動部材３の回動する動作を規制する位置にストッパ７をスライドさせる。ヒンジ１では、ストッパ７の操作部７４（操作部７４のケース部材２から外側に突出する部分）をケース部材２側に押込んで、ストッパ付勢部材９の付勢力に抗して一方の支持部２１側にストッパ７をスライドさせて、ストッパ７の高ストッパ側突出部７１Ｈによって回動部材３の回動する動作を規制する状態からストッパ７の低ストッパ側突出部７１Ｌによって回動部材３の回動する動作を規制する状態に切替える（図１０または図１１参照）。
このようにして、ヒンジ１では、ストッパ７の高ストッパ側突出部７１Ｈによって回動部材３の回動する動作を規制する状態からストッパ７の低ストッパ側突出部７１Ｌによって回動部材３の回動する動作を規制する状態に切替えて、ストッパ７による回動部材３の回動する動作の規制位置を段階的に変更する。
【００５０】
以上のように、ストッパ７のストッパ側突出部７１を段階的に形成することにより、ストッパ７１による回動部材３の回動する動作の規制位置が段階的に変更する、ヒンジ１では、回動部材３の回動する動作の規制位置を段階的に変更して規制して、回動する動作を規制しない状態よりも回動部材３の回動角度を小さくした状態にしてヒンジ１のメンテナンス作業を行うことができる。
【００５１】
次に、本発明の第三実施形態に係るヒンジ１について、図１２から図１５を用いて説明する。
なお、第三実施形態に係るヒンジ１の説明は、第一実施形態または第二実施形態に係るヒンジ１と同様の構成の部分については適宜省略し、第一実施形態または第二実施形態に係るヒンジ１の構成と異なる部分を中心に説明する。
【００５２】
図１２乃至図１５に示すように、ヒンジ１は、ストッパ７による回動部材３の回動する動作の規制位置が段階的に変更するように構成される。ヒンジ１は、回動部材３の複数の所定の回動角度において回動部材３の回動する動作をストッパ７によって規制するように構成される。
ヒンジ１は、ストッパ７が回動部材３の回動軸の軸心方向にスライド（移動）することにより、回動部材３の回動角度が、例えば、１７度よりも大きくならないように回動部材３の回動する動作を規制する状態と、回動部材３の回動角度が、例えば、３３度よりも大きくならないように回動部材３の回動する動作を規制する状態と、に変更することができるように構成される。
【００５３】
ヒンジ１の回動部材３の回動部材側突出部３２は、ストッパ７のストッパ側突出部７１側に突出する高さが異なる部分を有するように構成されて段階的に形成される。回動部材３の回動部材側突出部３２は、突出する高さが高い部分と低い部分とを有するように構成される。以下において、回動部材３の回動部材側突出部３２における突出する高さが高い部分を高回動部材側突出部３２Ｈと、回動部材側突出部３２における突出する高さ低い部分を低回動部材側突出部３２Ｌと称する。
回動部材３の回動部材側突出部３２は、ストッパ７のスライド方向に沿って高回動部材側突出部３２Ｈと低回動部材側突出部３２Ｌとが並ぶように構成される。回動部材３の回動部材側突出部３２は、ケース部材２の一方の支持部２１側に低回動部材側突出部３２Ｌが配置され、ケース部材２の他方の支持部２１側に高回動部材側突出部３２Ｈが配置されて構成される。
【００５４】
ヒンジ１は、ストッパ７が回動部材３の回動軸の軸心方向にスライド（移動）することにより、回動部材３の高回動部材側突出部３２Ｈがストッパ７のストッパ側突出部７１と当接して回動部材３の回動する動作を規制する状態と、回動部材３の低回動部材側突出部３２Ｌがストッパ７のストッパ側突出部７１と当接して回動部材３の回動する動作を規制する状態とを、切替可能に構成される。
ヒンジ１では、回動部材３の高回動部材側突出部３２Ｈおいて回動部材３の回動する動作を規制する状態から回動部材３の低回動部材側突出部３２Ｌおいて回動部材３の回動する動作を規制する状態に切替えるときには、ストッパ７の操作部７４を操作することによって、回動部材３の高回動部材側突出部３２Ｈにおいて回動部材３の回動する動作を規制する位置から回動部材３の低回動部材側突出部３２Ｌにおいて回動部材３の回動する動作を規制する位置にストッパ７をスライドさせる。ヒンジ１では、ストッパ７の操作部７４（操作部７４のケース部材２から外側に突出する部分）をケース部材２側に押込んで、ストッパ付勢部材９の付勢力に抗して一方の支持部２１側にストッパ７をスライドさせて、回動部材３の高回動部材側突出部３２Ｈにおいて回動部材３の回動する動作を規制する状態から回動部材３の低回動部材側突出部３２Ｌにおいて回動部材３の回動する動作を規制する状態に切替える（図１４または図１５参照）。
このようにして、ヒンジ１では、回動部材３の高回動部材側突出部３２Ｈにおいて回動部材３の回動する動作を規制する状態から回動部材３の低回動部材側突出部３２Ｌにおいて回動部材３の回動する動作を規制する状態に切替えて、ストッパ７による回動部材３の回動する動作の規制位置を段階的に変更する。
【００５５】
以上のように、回動部材３の回動部材側突出部３２を段階的に形成することにより、ストッパ７１による回動部材３の回動する動作の規制位置が段階的に変更する、ヒンジ１では、回動部材３の回動する動作の規制位置を段階的に変更して規制して、回動する動作を規制しない状態よりも回動部材３の回動角度を小さくした状態にしてヒンジ１のメンテナンス作業を行うことができる。
【００５６】
次に、本発明の第四実施形態に係るヒンジ１について、図１６から図２０を用いて説明する。
なお、第四実施形態に係るヒンジ１の説明は、第一実施形態、第二実施形態、または、第三実施形態に係るヒンジ１と同様の構成の部分については適宜省略し、第一実施形態、第二実施形態、または、第三実施形態に係るヒンジ１の構成と異なる部分を中心に説明する。
【００５７】
図１６に示すように、ヒンジ１の回動部材３は、複数個（四個）の回動部材側突出部３２・３２・３２・３２を備える。
【００５８】
ヒンジ１の回動部材３の四個の回動部材側突出部３２は、所定の間隔を空けてそれぞれ配置される。
【００５９】
ヒンジ１のストッパ７は、支持ピン８に支持されて、回動部材３の回動する動作を規制する位置と回動部材３の回動する動作を規制しない位置との間をスライド可能（移動可能）に構成される。ストッパ７は、回動部材３の回動する動作を規制する位置と回動部材３の回動する動作を規制しない位置の直前位置との間をスライド可能（移動可能）に構成される（図１６または図１７参照）。ストッパ７は、回動部材３の回動する動作を規制しない位置の直前位置と回動部材３の回動する動作を規制しない位置とをスライド可能（移動可能）に構成される（図１７または図１８参照）。
ストッパ７は、複数個（三個）のストッパ側突出部７１・７１・７１と、傾斜部７６と、を備えて構成される。
【００６０】
ヒンジ１のストッパ７の三個のストッパ側突出部７１は、所定の間隔を空けてそれぞれ配置される。ストッパ７の三個のストッパ側突出部７１は、三個のストッパ側突出部７１のそれぞれの間に回動部材３の回動部材側突出部３２（一個の回動部材側突出部３２）を配置可能に配置される。
【００６１】
ヒンジ１のストッパ７のストッパ側突出部７１は、ストッパ側突出部７１の突出側端部の一部が斜めに切取られるように形成されて構成される。ストッパ７のストッパ側突出部７１は、ストッパ側突出部７１の突出側端部におけるケース部材２の一方の支持部２１側の一部が面取りされるように形成されて構成される。ストッパ７のストッパ側突出部７１は、ストッパ側突出部７１の突出側端部の幅がストッパ側突出部７１の突出側と反対側の端部に比べて小さく構成される。
【００６２】
ヒンジ１のストッパ７の傾斜部７６は、前記斜めに切取られるストッパ側突出部７１の突出側端部の一部で構成される。
ストッパ７の傾斜部７６は、回動部材３の回動方向に対して傾斜するように構成される。ストッパ７の傾斜部７６は、スライダ５のスライド方向およびストッパ７のスライド方向に対して傾斜するように構成される。
ストッパ７の傾斜部７６は、ストッパ７における回動部材３の回動する動作を規制しない位置の直前位置において、回動部材３の回動部材側突出部３２が当接する部分として構成される。
【００６３】
ヒンジ１は、ストッパ７が回動部材３の回動軸の軸心方向にスライド（移動）することにより、ストッパ７のストッパ側突出部７１が回動部材３の回動部材側突出部３２と当接して回動部材３の回動する動作を規制する状態（規制状態）と、ストッパ７のストッパ側突出部７１が回動部材３の回動部材側突出部３２と当接せずに回動部材３の回動する動作を規制しない状態（規制解除状態）と、が切換可能に構成される。
ヒンジ１は、ストッパ７が回動部材３の回動軸の軸心方向にスライド（移動）することにより、回動部材３の回動する動作を規制する状態と、回動部材３の回動する動作を規制しない状態の直前の状態（規制解除直前状態）と、が切替可能に構成される（図１６または図１７参照）。ヒンジ１は、ストッパ７が回動部材３の回動軸の軸心方向にスライド（移動）することにより、回動部材３の回動する動作を規制しない状態の直前の状態と、回動部材３の回動する動作を規制しない状態と、が切替可能に構成される（図１７または図１８参照）。
ヒンジ１は、例えば、事務機１０の使用時においては、回動部材３の回動する動作を規制する状態とし、また例えば、ヒンジ１のメンテナンス時においては、まず回動部材３の回動する動作を規制しない状態の直前の状態とした後に、回動部材３の回動する動作を規制する状態とするように構成される。
【００６４】
図１７に示すように、ヒンジ１は、ストッパ７の傾斜部７６が回動部材３の回動部材側突出部３２の回動軌跡上に位置するとともに、ストッパ７のストッパ側突出部７１の先端部（ストッパ側突出部７１の回動部材３側端部（ストッパ側突出部７１の先端部の傾斜部７６を除く部分））が回動部材３の回動部材側突出部３２の回動軌跡上に位置しないようにストッパ７がスライドすることによって、回動部材３の回動する動作を規制しない状態の直前の状態となるように構成される。
ヒンジ１は、回動部材３の回動する動作を規制しない状態の直前の状態で、回動角度が所定の角度よりも大きくなる方向に回動部材３が回動すると回動部材３の回動部材側突出部３２とストッパ７の傾斜部７６とが当接するように構成される。
【００６５】
ヒンジ１では、回動部材３の回動する動作を規制する状態から回動部材３の回動する動作を規制しない状態の直前の状態に切替えるときには、ストッパ７の操作部７４を操作することによって、回動部材３の回動する動作を規制しない位置の直前位置にストッパ７をスライドさせる。ヒンジ１では、ストッパ７の操作部７４（操作部７４のケース部材２から外側に突出する部分）をケース部材２側（ケース部材２における一対の支持部２１のうち一方の支持部２１側）に押込んで、ストッパ付勢部材９の付勢力に抗してケース部材の一方の支持部２１側にストッパ７をスライドさせて、回動部材３の回動する動作を規制する状態から回動部材３の回動する動作を規制しない状態の直前の状態に切替える。
【００６６】
ヒンジ１は、回動部材３の回動する動作を規制する状態から回動部材３の回動する動作を規制しない状態の直前の状態に切替えたときに、回動部材３の回動する動作を規制しない状態の直前の状態が保持されるように構成される。
図１９または図２０に示すように、ヒンジ１は、ストッパ７が突起部７７を備え、支持ピン８が溝部８０を備え、ストッパ７の突起部７７が支持ピン８の溝部８０に嵌ることによって、ストッパ付勢部材９によってストッパ７が付勢されているにも関わらず、回動部材３の回動する動作を規制しない状態の直前の状態が保持されるように構成される。
【００６７】
ヒンジ１のストッパ７の突起７７は、ストッパ７の内部に配置される。
ストッパ７の突起７７は、貫通孔７５の内面から内側（貫通孔の軸心側）に向かって突出するように構成される。
【００６８】
ヒンジ１の支持ピン８の溝部８０は、支持ピン８外面に形成される。
支持ピン８の溝部８０は、ストッパ７の突起７７が嵌ることができるように構成される。
支持ピン８は、支持ピン８の溝部８０がストッパ７の内部に位置するように配置される。
【００６９】
ヒンジ１では、回動部材３の回動する動作を規制する状態では、ストッパ７の突起部７７が支持ピン８の溝部８０に嵌っていない状態となっている。
ヒンジ１では、ストッパ７をスライドさせて、回動部材３の回動する動作を規制する状態から回動部材３の回動する動作を規制しない状態の直前の状態に切替えると、ストッパ７の突起部７７が支持ピン８の溝部８０に嵌って、回動部材３の回動する動作を規制しない状態の直前の状態が保持される。
【００７０】
図１７または図１８に示すように、ヒンジ１では、回動部材３の回動する動作を規制しない状態の直前の状態から回動部材３の回動する動作を規制しない状態に切替えるときには、回動角度が大きくなる方向に回動部材３を回動させて、回動部材３の回動部材側突出部３２とストッパ７の傾斜部７６とを当接させる。
ヒンジ１では、回動部材３の回動部材側突出部３２とストッパ７の傾斜部７６とを当接させた状態で回動角度が大きくなる方向に回動部材３をさらに回動させると、回動部材３に押されるようにして回動部材３の回動する動作を規制しない位置側（ケース部材２における一対の支持部２１のうち他方の支持部２１側）にストッパ７がスライドしていく。
ヒンジ１では、ストッパ７が回動部材３に押されて回動部材３の回動する動作を規制しない位置側にスライドしていくと、ストッパ７の突起部７７が支持ピン８の溝部８０に嵌っている状態が解消されて、回動部材３の回動する動作を規制しない状態の直前の状態を保持している状態が解消され、回動部材３の回動する動作を規制しない状態となる。
【００７１】
ヒンジ１では、回動部材３の回動する動作を規制しない状態の直前の状態を保持している状態が解消されると、ストッパ付勢部材９によって付勢されるため回動部材３の回動する動作を規制しない位置側にストッパ７がスライドしようとするが、ストッパ７と回動部材３とが当接しているため、回動部材３の回動する動作を規制する位置側にストッパ７がスライドすることが防止される。
このようにして、ヒンジ１は、回動部材３の回動する動作を規制しない状態の直前の状態において、回動角度が大きくなる方向に回動部材３を回動させることによって、回動部材３の回動する動作を規制しない状態の直前の状態が保持される状態が解消されて、回動部材３の回動する動作を規制しない状態の直前の状態から回動部材３の回動する動作を規制しない状態に切替わるように構成される。
【００７２】
以上のように、回動部材３の回動する動作を規制する状態から回動部材３の回動する動作を規制しない状態の直前の状態に切替えたときに、回動部材３の回動する動作を規制しない状態の直前の状態が保持されるように構成されるとともに、回動部材３の回動する動作を規制しない状態の直前の状態において、回動角度が大きくなる方向に回動部材３を回動させることによって、回動部材３の回動する動作を規制しない状態の直前の状態が保持される状態が解消されて、回動部材３の回動する動作を規制しない状態の直前の状態から回動部材３の回動する動作を規制しない状態に切替わるように構成される、ヒンジ１では、回動部材３の回動する動作を規制する状態から回動部材３の回動する動作を規制しない状態の直前の状態に切替えたときに回動部材３の回動する動作を規制しない状態の直前の状態が保持された状態において、回動角度が大きくなる方向に回動部材３を回動させることによって、回動部材３の回動する動作を規制しない状態の直前の状態から回動部材３の回動する動作を規制しない状態に切替えることができる。
したがって、ヒンジ１によれば、回動部材３の回動する動作を規制する状態から回動部材３の回動する動作を規制しない状態に切替えるときに、ストッパ７を移動させて回動部材３の回動する動作を規制する状態から回動部材３の回動する動作を規制しない状態の直前の状態に切替えた後は、ストッパ７を移動させる作業（例えば、ストッパ７の位置の微調節）を行うことなく、回動部材３を回動させるだけで回動部材３の回動する動作を規制しない状態に切替えることができる。
【００７３】
図１６または図１８に示すように、ヒンジ１では、回動部材３の回動する動作を規制しない状態から回動部材３の回動する動作を規制する状態に切替えるときには、回動部材３の回動する動作を規制しない状態において、所定の角度よりも回動角度が大きい状態から回動角度が所定の角度よりも小さくなる方向に回動部材３を回動させる。
このように所定の角度よりも回動角度が小さくなる方向に回動部材３を回動させると、前記ストッパ７のストッパ側突出部７１と回動部材３の回動部材側突出部３２とが当接している状態が解消され、ストッパ付勢部材９によってケース部材２の他方の支持部２１側に付勢されるストッパ７が、回動部材３の回動する動作を規制しない位置から回動部材３の回動する動作を規制する位置にスライドして、回動部材３の回動する動作を規制する状態となる。
このようにして、ヒンジ１は、回動部材３の回動する動作を規制しない状態において、回動角度が小さくなる方向に回動部材３を回動させることによって、回動部材３の回動する動作を規制しない状態から回動部材３の回動する動作を規制する状態に切替えるように構成される。
【００７４】
以上のように、回動部材３の回動する動作を規制する状態から回動部材３の回動する動作を規制しない状態の直前の状態に切替えたときに、回動部材３の回動する動作を規制しない状態の直前の状態が保持されるように構成され、回動部材３の回動する動作を規制しない状態の直前の状態において、回動角度が大きくなる方向に回動部材３を回動させることによって、回動部材３の回動する動作を規制しない状態の直前の状態が保持される状態が解消されて、回動部材３の回動する動作を規制しない状態の直前の状態から回動部材３の回動する動作を規制しない状態に切替わるように構成されるとともに、回動部材３の回動する動作を規制しない状態において、回動角度が小さくなる方向に回動部材３を回動させることによって、回動部材３の回動する動作を規制しない状態から回動部材３の回動する動作を規制する状態に切替えるように構成される、ヒンジ１では、例えば、ヒンジ１のメンテナンスを行うにあたっては、まず、ストッパ７を移動させて、回動部材３の回動する動作を規制する状態から回動部材３の回動する動作を規制しない状態の直前の状態に切替える。
そして、ヒンジ１では、回動部材３の回動する動作を規制しない状態の直前の状態において、回動角度が大きくなる方向に回動部材３を回動させて回動部材３の回動する動作を規制しない状態にしてヒンジ１のメンテナンス作業を行い、ヒンジ１のメンテナンス作業を行った後は、回動角度が小さくなる方向に回動部材３を回動させるだけで、回動部材３の回動する動作を規制する状態とすることができる。
したがって、ヒンジ１では、ストッパ７を移動させて回動部材３の回動する動作を規制する状態から回動部材３の回動する動作を規制しない状態の直前の状態に切替えた後は、ストッパ７を移動させる作業を行うことなく、回動部材３を回動させるだけで、再び回動部材３の回動する動作を規制する状態とすることができる。
【符号の説明】
【００７５】
１  ヒンジ
２  ケース部材（第一ウイング部材）
３  回動部材（第二ウイング部材）
５  スライダ
７  ストッパ
８  支持ピン
９  ストッパ付勢部材
１０  事務機
１１  本体（第一連結対象物）
１２  原稿圧着板（第二連結対象物）
３２  突出部
７１  突出部
【図１】
2014199099.tif 000003
【図２】
2014199099.tif 000004
【図３】
2014199099.tif 000005
【図４】
2014199099.tif 000006
【図５】
2014199099.tif 000007
【図６】
2014199099.tif 000008
【図７】
2014199099.tif 000009
【図８】
2014199099.tif 000010
【図９】
2014199099.tif 000011
【図１０】
2014199099.tif 000012
【図１１】
2014199099.tif 000013
【図１２】
2014199099.tif 000014
【図１３】
2014199099.tif 000015
【図１４】
2014199099.tif 000016
【図１５】
2014199099.tif 000017
【図１６】
2014199099.tif 000018
【図１７】
2014199099.tif 000019
【図１８】
2014199099.tif 000020
【図１９】
2014199099.tif 000021
【図２０】
2014199099.tif 000022